(57)【要約】【課題】  移動通信端末において待ち受け状態になるまでの時間を短縮する。【解決手段】  移動通信端末１０は、ハードウェア１１と情報処理部１２とを備える。ハードウェア１１は、セルの電波の周波数を検出する周波数検出装置１１１と、報知情報を受信する受信装置１１２とを構成する。情報処理部１２は、検出された周波数に係るセルから、当該検出に係る電波の受信品質に基づいて報知情報を受信するセルを選択して、選択したセルの報知情報を受信装置１１２に受信させるセル選択部１２１と、周波数の検出、及び報知情報の受信に係る電波の受信品質を示す情報を取得して、当該受信品質を示す情報からセルの品質を判定する品質判定部１２２と、判定されたセルの品質に基づいて、当該セルに在圏するか否かを判断する在圏判断部１２３とを備える。【選択図】  図１
2009135788.tif 000002
【特許請求の範囲】
【請求項１】
ハードウェアと情報処理部とを備える移動通信端末であって、
前記ハードウェアは、
セルの電波の周波数を検出する周波数検出手段と、
前記周波数検出手段により検出された周波数の電波により、セルにおいて送信される報知情報を受信する報知情報受信手段と、を構成し、
前記情報処理部は、
前記周波数検出手段により検出された周波数に係るセルから、当該検出に係る電波の受信品質に基づいて前記報知情報を受信するセルを選択して、選択したセルの報知情報を前記報知情報受信手段に受信させるセル選択手段と、
前記周波数検出手段による検出、及び前記報知情報受信手段による報知情報の受信の少なくとも何れかに係る電波の受信品質を示す情報を取得して、当該受信品質を示す情報から前記セルの品質を判定する品質判定手段と、
前記品質判定手段により判定された前記セルの品質に基づいて、当該セルに在圏するか否かを判断する在圏判断手段と、を備える、
ことを特徴とする移動通信端末。
【請求項２】
前記ハードウェアは、前記報知情報受信手段により受信された報知情報に係るセルの周辺セルを含むセルの品質を測定する品質測定手段をも構成し、
前記セル選択手段は、前記在圏判断手段により前記セルに在圏しないと判断された場合に、前記品質測定手段により測定された周辺セルの品質に基づいて次に報知情報を受信するセルを選択する、
ことを特徴とする請求項１に記載の移動通信端末。
【請求項３】
ハードウェアと情報処理部とを備える移動通信端末による移動通信方法であって、
前記ハードウェアが、
セルの電波の周波数を検出する周波数検出ステップと、
前記周波数検出ステップにおいて検出された周波数の電波により、セルにおいて送信される報知情報を受信する報知情報受信ステップと、を含み、
前記情報処理部が、
前記周波数検出ステップにおいて検出された周波数に係るセルから、当該検出に係る電波の受信品質に基づいて前記報知情報を受信するセルを選択して、選択したセルの報知情報を前記報知情報受信ステップにおいて受信させるセル選択ステップと、
前記周波数検出ステップにおける検出、及び前記報知情報受信手段における報知情報の受信の少なくとも何れかに係る電波の受信品質を示す情報を取得して、当該受信品質を示す情報から前記基地局に係るセルの品質を判定する品質判定ステップと、
前記品質判定ステップにおいて判定された前記セルの品質に基づいて、当該セルに在圏するか否かを判断する在圏判断ステップと、を含む、
ことを特徴とする移動通信方法。
【発明の詳細な説明】
【技術分野】
【０００１】
本発明は、移動通信端末及び移動通信方法に関する。
【背景技術】
【０００２】
セル方式の移動通信システムにおける移動通信端末は、電源が入れられたときや在圏セルのレベル劣化検出後にセル選択を実施する場合、セル検出後にそのセルの報知情報を受信して、当該セルの品質（電波の強度や干渉度）の測定を行う。移動通信端末は、測定されたセルの品質に基づいて、当該セルに在圏するか否かを決定する（例えば、特許文献１参照）。
【特許文献１】特開２００６−１３５５２０号公報
【発明の開示】
【発明が解決しようとする課題】
【０００３】
従来の移動通信端末において、上記のセルの品質の測定は、以下のように行われる。まず、報知情報が受信された後、制御ソフトウェアにより動作する、移動体通信の機能を司る情報処理部からハードウェアに対してセルの品質の測定が依頼される。続いて、ハードウェアによってセルの品質の測定が行われて、測定結果がハードウェアから情報処理部に出力される。このように測定されたセルの品質に基づいて、情報処理部では、セルに在圏するか否かの決定が行われる。
【０００４】
上記のように従来の移動通信端末では、報知情報の受信後、ハードウェアによるセルの品質の測定が行われて在圏可否の判断が行われているため、セルを検出してから待ち受け状態になるまでに時間がかかっていた。
【０００５】
本発明は、以上の問題点を解決するためになされたものであり、待ち受け状態になるまでの時間を短縮することができる移動通信端末及び移動通信方法を提供することを目的とする。
【課題を解決するための手段】
【０００６】
上記の目的を達成するために、本発明に係る移動通信端末は、ハードウェアと情報処理部とを備える移動通信端末であって、ハードウェアは、セルの電波の周波数を検出する周波数検出手段と、周波数検出手段により検出された周波数の電波により、セルにおいて送信される報知情報を受信する報知情報受信手段と、を構成し、情報処理部は、周波数検出手段により検出された周波数に係るセルから、当該検出に係る電波の受信品質に基づいて報知情報を受信するセルを選択して、選択したセルの報知情報を報知情報受信手段に受信させるセル選択手段と、周波数検出手段による検出、及び報知情報受信手段による報知情報の受信の少なくとも何れかに係る電波の受信品質を示す情報を取得して、当該受信品質を示す情報からセルの品質を判定する品質判定手段と、品質判定手段により判定されたセルの品質に基づいて、当該セルに在圏するか否かを判断する在圏判断手段と、を備える、ことを特徴とする。なお、上記のハードウェアは、複数のハードウェアによって構成されていてもよい。
【０００７】
本発明に係る移動通信端末では、セルに在圏して待ち受け状態になるまでに以下の処理が行われる。まず、ハードウェアである周波数検出手段によりセルの周波数が検出される。続いて、検出に係る電波の受信品質に基づいて、セル選択手段によりセルが選択される。選択されたセルにおいて送信される報知情報が、ハードウェアである報知情報受信手段により受信される。続いて、周波数の検出及び報知情報の受信の少なくとも何れかに係る電波の受信品質を示す情報が、品質判定手段によって取得されて、当該受信品質を示す情報からセルの品質が判定される。判定されたセルの品質に基づいて、当該セルに在圏するか否かが、在圏判断手段によって判断される。移動通信端末では、判断結果に基づいてセルへの在圏が行われる。
【０００８】
上記のように、本発明に係る移動通信端末では、ハードウェアによるセルの品質の測定の処理によらずにセルへの在圏処理を行うことができる。従って、本発明に係る移動通信端末によれば、ハードウェアによるセルの品質の測定の処理を行ってセルへの在圏処理を行う従来の移動通信端末と比べて、待ち受け状態になるまでの時間を短縮することができる。
【０００９】
ハードウェアは、前記報知情報受信手段により受信された報知情報に係るセルの周辺セルを含むセルの品質を測定する品質測定手段をも構成し、セル選択手段は、在圏判断手段によりセルに在圏しないと判断された場合に、品質測定手段により測定された周辺セルの品質に基づいて次に報知情報を受信するセルを選択する、ことが望ましい。この構成によれば、在圏判断手段によりセルに在圏しないと判断された場合であっても、迅速に当該セルの周辺セルに在圏するか否かを判断することができる。その結果、待ち受け状態になるまでの時間を短縮することができる。
【００１０】
ところで、本発明は、上記のように移動通信端末の発明として記述できる他に、以下のように移動通信方法の発明としても記述することができる。これはカテゴリが異なるだけで、実質的に同一の発明であり、同様の作用及び効果を奏する。
【００１１】
即ち、本発明に係る移動通信方法は、ハードウェアと情報処理部とを備える移動通信端末による移動通信方法であって、ハードウェアが、セルの電波の周波数を検出する周波数検出ステップと、周波数検出ステップにおいて検出された周波数の電波により、セルにおいて送信される報知情報を受信する報知情報受信ステップと、を含み、情報処理部が、周波数検出ステップにおいて検出された周波数に係るセルから、当該検出に係る電波の受信品質に基づいて報知情報を受信するセルを選択して、選択したセルの報知情報を報知情報受信ステップにおいて受信させるセル選択ステップと、周波数検出ステップにおける検出、及び報知情報受信手段における報知情報の受信の少なくとも何れかに係る電波の受信品質を示す情報を取得して、当該受信品質を示す情報から基地局に係るセルの品質を判定する品質判定ステップと、品質判定ステップにおいて判定されたセルの品質に基づいて、当該セルに在圏するか否かを判断する在圏判断ステップと、を含む、ことを特徴とすることを特徴とする。
【発明の効果】
【００１２】
本発明によれば、ハードウェアによるセルの品質の測定の処理によらずにセルへの在圏処理を行うことができるので、ハードウェアによるセルの品質の測定の処理を行ってセルへの在圏処理を行う従来の移動通信端末と比べて、待ち受け状態になるまでの時間を短縮することができる。
【発明を実施するための最良の形態】
【００１３】
以下、図面とともに本発明に係る移動通信端末及び端末移行制御方法の好適な実施形態について詳細に説明する。なお、図面の説明においては同一要素には同一符号を付し、重複する説明を省略する。
【００１４】
図１に本実施形態に係る移動通信端末１０の構成を示す。移動通信端末１０は、セル方式による移動体通信を行うことができる装置であり、具体的には、携帯電話機等に相当する。移動通信端末１０は、移動体通信網２０に含まれる基地局２１の何れかと無線通信回線を介して相互に通信可能なように接続されることにより、移動体通信網２０に接続して移動体通信を行う。基地局２１は、各基地局に応じたセルを通信エリアとする周知の基地局である。
【００１５】
図１に示すように、移動通信端末１０は、ハードウェア１１と、情報処理部１２とを含んで構成される。なお、情報処理部１２も厳密にはハードウェアによって構成されているが、本実施形態においては、情報処理部１２は制御ソフトウェア等により移動体通信の機能を制御する情報処理の機能を有する部分であり、ハードウェア１１は移動体通信の実際の機能を有し、情報処理部１２の制御を受ける部分であるものとする。
【００１６】
図１に示すように、ハードウェア１１は、周波数検出装置１１１と、受信装置１１２と、品質測定装置１１３とを構成している。なお、移動通信端末１０には、従来の移動通信端末が備えている移動体通信のその他の機能を有するハードウェアも他にも備えているがそれらについては説明を省略する。
【００１７】
周波数検出装置１１１は、各セルの電波の周波数を検出する（即ちバンドサーチを行う）周波数検出手段である。周波数の検出は、情報処理部１２からのバンドサーチ依頼があった場合に行われる。周波数検出装置１１１は、検出した周波数の情報をバンドサーチ報告として情報処理部１２に入力する。また、周波数検出装置１１１は、周波数の検出に係る電波の周波数毎（セル毎）の受信品質を示す情報をバンドサーチ報告に含めて情報処理部１２に入力する。
【００１８】
周波数検出装置１１１により取得される受信品質を示す情報としては、「ＲＳＣＰ（Received Signal Code Power：希望波受信電力）」及び「ＥＣ／Ｎ０」等がある。ＲＳＣＰは、最も強い受信電力の値である。ＥＣ／Ｎ０は、最勢力局のＲＳＣＰと全受信電力との比であり、最も強い受信電力とその他の受信電力との比である。
【００１９】
受信装置１１２は、周波数検出装置１１１により検出された周波数の電波により、セルにおいて送信される報知情報を受信する報知情報受信手段である。どのセルの報知情報を受信するかは、情報処理部１２から指示される。周波数検出装置１１１は、受信した報知情報、及び当該報知情報の受信に係る電波の受信品質を示す情報を情報処理部１２に入力する。受信装置１１２により取得される受信品質を示す情報としては、上述したＲＳＣＰ及びＥＣ／Ｎ０に加えて、「UE_TXPWR_MAX_RACH」及び「P_MAX」等がある。UE_TXPWR_MAX_RACHは、ＲＡＣＨ（Random Access CHannel）においてセルにアクセスする際に用いられる最大ＴＸパワーレベルを示す値である。P_MAXは、移動通信端末１０の送信パワーの最大値を示す値である。
【００２０】
品質測定装置１１３は、受信装置１１２により受信された報知情報に係るセルの周辺セルの品質を測定する品質測定手段である。セルの品質の測定は、情報処理部１２からの品質測定依頼があった場合に行われ、既存の技術と同様に行われる。また、この測定には、周辺セルとしてどのようなセルがあるかを検出することも含まれる。周辺セルの品質を示す情報として、具体的には、ＲＳＣＰやＥＣ／Ｎ０等がある。品質測定装置１１３は、測定したセルの品質を示す情報を品質測定結果として情報処理部１２に入力する。
【００２１】
図１に示すように、情報処理部１２は、セル選択部１２１と、品質判定部１２２と、在圏判断部１２３とを備えて構成される。
【００２２】
セル選択部１２１は、周波数検出装置１１１により検出された周波数に係るセルから、当該検出に係る電波の受信品質に基づいて報知情報を受信するセルを選択するセル選択手段である。電波の受信品質に基づくセルの選択は、既存の技術と同様に行われ、通常は高い受信品質のセルが選択される。セル選択部１２１は、受信装置１１２に指示を行い、選択したセルの報知情報を受信装置１１２に受信させる。
【００２３】
また、後述するように在圏判断部１２３により、（報知情報が受信された）セルに在圏しないと判断された場合、セル選択部１２１は、品質測定装置１１３により測定された周辺セルの品質の情報を取得して、当該情報に基づいて次に報知情報を受信するセルを選択する。具体的には、セル選択部１２１は、品質測定装置１１３により測定された周辺セルのうち、最も高い品質を有するセルを選択して、受信装置１１２に対して選択したセルの報知情報を受信するように指示する。具体的には、ＲＳＣＰやＥＣ／Ｎ０の値を基準に最も高い品質を有するセルを選択する。
【００２４】
品質判定部１２２は、セルの品質を判定する品質判定手段である。このセルの品質の判定は、当該セルに在圏すべきかどうかの判断に用いられる。即ち、品質が高いと判定された場合は当該セルに在圏すべきとされ、品質が低いと判定された場合には当該セルに在圏しないとされる。品質判定部１２２は、周波数検出装置１１１による周波数の検出及び受信装置１１２による報知情報の受信に係る電波の受信品質を示す情報を取得して、当該受信品質を示す情報からセルの品質を判定する。具体的には、受信品質を示す情報から、以下の判定用の値である２つのＳ値（Ｓｒｘｌｅｖ，Ｓｑｕａｌ）を算出する。Ｓ値は、以下の式により算出される。品質判定部１２２は、これらの式を記憶しており、算出時に読み出して算出を行う。
Ｓｑｕａｌ＝Ｑｑｕａｌｍｅａｓ−Ｑｑｕａｌｍｉｎ
Ｓｒｘｌｅｖ＝Ｑｒｘｌｅｖｍｅａｓ−Ｑｒｘｌｅｖｍｉｎ−Ｐｃｏｍｐｅｎｓａｔｉｏｎ
ここで、
Ｑｑｕａｌｍｅａｓ＝ＥＣ／Ｎ０（周波数の検出による）
Ｑｒｘｌｅｖｍｉｎ＝ＲＳＣＰ（報知情報の受信による）
Ｑｒｘｌｅｖｍｅａｓ＝ＲＳＣＰ（周波数の検出による）
Ｑｑｕａｌｍｉｎ＝ＥＣ／Ｎ０（報知情報の受信による）
Ｐｃｏｍｐｅｎｓａｔｉｏｎ＝ｍａｘ（UE_TXPWR_MAX_RACH−P_MAX，０）
である。ここで、ｍａｘ（Ａ，Ｂ）は、Ａ及びＢの何れか大きい方を関数値とする関数である。
【００２５】
品質判定部１２２は、上記の２つのＳ値が所定の値（例えば、０）より大きいかどうか判断する。品質判定部１２２は、２つのＳ値が所定の値より大きいと判断した場合、当該セルの品質は高いと判定する。品質判定部１２２は、２つのＳ値の少なくとも一方が所定の値より大きくないとと判断した場合、当該セルの品質は低いと判定する。品質判定部１２２は、セルの品質の判定結果を在圏判断部１２３に通知する。ここで、Ｓ値の閾値である上記の所定の値は、予め品質判定部１２２に設定されて記憶されている。
【００２６】
在圏判断部１２３は、品質判定部１２２により判定されたセルの品質に基づいて、当該セルに在圏するか否かを判断する在圏判断手段である。品質判定部１２２から通知されたセルの品質の判定結果がセルの品質が高いものを示すものであった場合、在圏判断部１２３はそのセルに在圏すると判断する。その場合、在圏判断部１２３は、在圏処理の機能を有するハードウェア１１に対して、そのセルで在圏処理を行う指示を行う。
【００２７】
一方、品質判定部１２２から通知されたセルの品質の判定結果がセルの品質が低いものを示すものであった場合、在圏判断部１２３はそのセルに在圏しないと判断する。
【００２８】
なお、移動通信端末１０には、上述した機能的な構成要素以外にも、携帯電話機としての構成要素も有しているが、それらについての説明及び図示は省略する。
【００２９】
移動通信端末１０は、図２に示すように、ＣＰＵ（Central Processing Unit）１０１、ＲＡＭ（Random Access Memory）１０２、ＲＯＭ（Read Only Memory）１０３、操作部１０４、無線通信部１０５、ディスプレイ１０６及びアンテナ１０７等のハードウェアにより構成されている。これらの構成要素が動作することにより、上述した移動通信端末１０の機能が発揮される。上述した図１に示すハードウェア１１は、主に図２における無線通信部１０５に対応する。また、図１に示す情報処理部１２は、主に図２におけるＣＰＵ１０１、ＲＡＭ１０２及びＲＯＭ１０３に対応する。以上が、本実施形態に係る移動通信端末１０の構成である。
【００３０】
引き続いて、図３及び図４のシーケンス図を用いて、本実施形態に係る移動通信端末１０によって実行される処理（移動通信方法）を説明する。この処理は、移動通信端末１０が、電源オンされて待ち受け状態になるまでの処理である。
【００３１】
まず、移動通信端末１０では、電源がオンされ、各構成要素の動作が開始される（Ｓ０１）。なお、本処理（待ち受け状態になるまでの処理）の開始は、移動通信端末１０において必ずしも電源がオンされた場合でなくてもよい。例えば、在圏セルのレベル劣化検出後から本処理が開始されてもよい。
【００３２】
続いて、移動通信端末１０では、情報処理部１２から周波数検出装置１１１に対してバンドサーチ依頼が行われる（Ｓ０２）。バンドサーチ依頼がなされた周波数検出装置１１１では、セルの電波の周波数の検出（バンドサーチ）が行われる（Ｓ０３、周波数検出ステップ）。検出された周波数の情報は、受信品質を示す情報と共にバンドサーチ報告として、周波数検出装置１１１から情報処理部１２に出力される（Ｓ０４）。
【００３３】
続いて、情報処理部１２のセル選択部１２１によって、バンドサーチ報告に基づいて、報知情報を受信するセルが選択される（Ｓ０５、セル選択ステップ）。続いて、セル選択部１２１から受信装置１１２に、選択されたセルの報知情報を受信するよう指示が行われて、受信装置１１２によって当該セルの報知情報が受信される。受信された報知情報の情報は、受信品質を示す情報と共に情報処理部に出力される（Ｓ０６、報知情報受信ステップ）。
【００３４】
続いて、情報処理部１２から品質測定装置１１３に、受信装置１１２により受信された報知情報に係るセルの周辺セルの品質を測定するように品質測定依頼が行われる（Ｓ０７）。続いて、品質測定依頼を受けた品質測定装置１１３によって、周辺セルの品質が測定される（Ｓ０８、品質測定ステップ）。
【００３５】
品質測定装置１１３によって品質測定が行われている間、品質判定部１２２によって、周波数検出装置１１１による周波数の検出、及び受信装置１１２による報知情報の受信に係る電波の受信品質から、報知情報が受信されたセルの品質が判定される（Ｓ０９、品質判定ステップ）。セルの品質は、上述したように２つのＳ値を算出して、それらが閾値として設定された所定の値である０より大きいか否かにより判定される。ここでは、２つのＳ値が何れも０より大きいものとする。即ち、品質判定部１２２によって、当該セルの品質は高いと判定される。セルの品質の判定結果は、品質判定部１２２から在圏判断部１２３に通知される。
【００３６】
続いて、在圏判断部１２３によって、品質判定部１２２により判定されたセルの品質に基づいて、当該セルに在圏するか否かが判断される（Ｓ１０、在圏判断ステップ）。上記のように、当該セルの品質は高いと判定されているので、当該セルに在圏すると判断される。
【００３７】
ここで、品質測定装置１１３から、品質測定結果が情報処理部１２に入力される（Ｓ１１）。しかし、上述のように当該セルに在圏するとの判断がなされているので、ここでは、品質測定の結果は用いられず、在圏判断部１２３からハードウェア１１に対して当該セルにおいて在圏処理を行うように指示が行われる。指示を受けたハードウェア１１によって、当該セルにおいて在圏処理が行われて、移動通信端末１０は待ち受け状態になる（Ｓ１２）。上記が本実施形態に係る移動通信端末１０により実行される、待ち受け状態になるまでの処理である。
【００３８】
なお、従来の移動通信端末では、上記の処理における（Ｓ０８の）品質測定で、報知情報が受信したセルに対する品質測定が行われて、（Ｓ１１の）品質測定結果に基づいて、情報処理部１２によって当該セルに在圏するか否かが判断される。一方、本実施形態に係る移動通信端末１０では、ハードウェア１１によるセルの品質の測定の処理によらずに、制御ソフトウェアにより動作される情報処理部１２によりセルの品質を判定して在圏を判断することによってセルへの在圏処理を行うことができる。従って、本実施形態に係る移動通信端末１０によれば、ハードウェア１１によるセルの品質の測定の処理を行ってセルへの在圏処理を行う従来の移動通信端末と比べて、待ち受け状態になるまでの時間を短縮することができる。
【００３９】
図３のシーケンス図を用いて上述した移動通信端末１０の処理では、（Ｓ０９における）品質判定部１２２によるセルの品質の判定結果は、セルの品質が高いというものであった。続いて、品質判定部１２２によるセルの品質の判定結果が、セルの品質が低いものである場合の処理を、図４のシーケンス図を用いて説明する。
【００４０】
電源オンから、品質測定装置１１３による品質測定までの処理（Ｓ２１〜Ｓ２８）は、上述した処理（Ｓ０１〜Ｓ０８）と同様である。続いて、上述した処理と同様に、品質測定装置１１３によって品質測定が行われている間、品質判定部１２２によって、報知情報が受信されたセルの品質が判定される（Ｓ２９、品質判定ステップ）。ここでは、２つのＳ値の少なくとも何れかが、閾値として設定された０より大きくないものとする。即ち、品質判定部１２２によって、当該セルの品質は低いと判定される。セルの品質の判定結果は、品質判定部１２２から在圏判断部１２３に通知される。
【００４１】
続いて、在圏判断部１２３によって、品質判定部１２２により判定されたセルの品質に基づいて、当該セルに在圏するか否かが判断される（Ｓ３０、在圏判断ステップ）。上記のように、当該セルの品質は低いと判定されているので、当該セルに在圏しないと判断される。
【００４２】
ここで、品質測定装置１１３から、品質測定結果が情報処理部１２に入力される（Ｓ３１）。セルに在圏しないと判断された場合、続いて、セル選択部１２１によって、品質測定装置１１３から入力された周辺セルに関する品質測定結果が参照されて、次に報知情報を受信するセルが選択される（Ｓ３２、セル選択ステップ）。
【００４３】
続いて、セル選択部１２１から受信装置１１２に、選択されたセルの報知情報を受信するよう指示が行われて、受信装置１１２によって当該セルの報知情報が受信される。受信された報知情報の情報は、受信品質を示す情報と共に情報処理部に出力される（Ｓ３３、報知情報受信ステップ）。続いて、受信された報知情報に基づいて、在圏判断部１２３からハードウェア１１に対して当該セルにおいて在圏処理を行うように指示が行われる。指示を受けたハードウェア１１によって、当該セルにおいて在圏処理が行われて、移動通信端末１０は待ち受け状態になる（Ｓ３４）。上記が本実施形態に係る移動通信端末１０により実行される、待ち受け状態になるまでの処理である。
【００４４】
なお、従来の移動通信端末では、品質測定結果に基づいてセルに在圏しないと判断された場合、別のセルに在圏するために、再度、周波数の検出（バンドサーチ）及びハードウェアによる品質測定が再度行われる。一方、本実施形態に係る移動通信端末１０では、セルに在圏しないと判断された場合であっても、周波数の検出等が再度行われる必要がなく、迅速に当該セルの周辺セルに在圏するか否かを判断することができる。その結果、待ち受け状態になるまでの時間を短縮することができる。
【００４５】
なお、上述した処理では、品質測定（Ｓ０８，Ｓ２８）は、品質判定（Ｓ０９，Ｓ２９）と並行して行われることとしているが、品質判定の前及び後の何れのタイミングで行われてもよい。
【００４６】
また、本実施形態に係る移動通信端末１０では、（品質判定部１２２によって）セルの品質は、周波数検出装置１１１による周波数の検出、及び受信装置１１２による報知情報の受信の両方に係る電波の受信品質に基づいて判定されていた。しかし、必ずしもそれらの両方の受信品質が用いられる必要はなく、何れか一方のみが用いられてもよい。具体的には、例えば、２つのＳ値（Ｓｒｘｌｅｖ，Ｓｑｕａｌ）の何れかが品質の判定に用いられてもよい。
【図面の簡単な説明】
【００４７】
【図１】本発明の実施形態に係る移動通信端末の構成を示す図である。
【図２】本発明の実施形態に係る移動通信端末のハードウェア構成を示す図である。
【図３】本発明の実施形態に係る移動通信端末で実行される処理（移動通信方法）を示すシーケンス図である。
【図４】本発明の実施形態に係る移動通信端末で実行される処理（移動通信方法）を示すシーケンス図である。
【符号の説明】
【００４８】
１０…移動通信端末、１１…ハードウェア、１１１…周波数検出装置、１１２…受信装置、１１３…品質測定装置、１２…情報処理部、１２１…セル選択部、１２２…品質判定部、１２３…在圏判断部、１０１…ＣＰＵ、１０２…ＲＡＭ、１０３…ＲＯＭ、１０４…操作部、１０５…無線通信部、１０６…ディスプレイ、１０７…アンテナ、２０…移動体通信網、２１…基地局。
【図１】
2009135788.tif 000003
【図２】
2009135788.tif 000004
【図３】
2009135788.tif 000005
【図４】
2009135788.tif 000006